(57)【特許請求の範囲】
【請求項１】
０系クロックゲーティング部と１系クロックゲーティング部と、
前記０系クロックゲーティング部と１系クロックゲーティング部を制御する調停部と、 前記０系クロックゲーティング部からのクロックによりデータ処理を行う０系端末対応部と、
前記１系クロックゲーティング部からのクロックによりデータ処理を行う１系端末対応部と
を有し、
前記０系端末対応部は
送信データにバックアラーム表示信号を含む各種制御情報を付加するタイムスロットを生成する付加タイムスロット生成部と、受信データを終端処理するとともに、前記受信データにバックアラーム表示信号が付加されていた場合に、前記バックアラーム表示信号を前記調停部へ転送する付加タイムスロット終端部とを有し、
前記１系端末対応部は
送信データにバックアラーム表示信号を含む各種制御情報を付加するタイムスロットを生成する付加タイムスロット生成部と、受信データを終端処理するとともに、前記受信データにバックアラーム表示信号が付加されていた場合に、前記バックアラーム表示信号を前記調停部へ転送する付加タイムスロット終端部とを有し、
前記調停部は、前記バックアラーム表示信号の有無を監視して、前記バックアラーム表示信号を検知した場合に、同系の前記クロックゲーティング部を介して前記バックアラーム表示信号を送信した側の端末対応装置へのクロックを停止するとともに、前記バックアラーム表示信号を送信しない側の端末対応装置に同系の前記クロックゲーティング部を介してクロックを供給することを特徴とする二重化データ送受信処理装置。
【発明の詳細な説明】
【技術分野】
【０００１】
本発明は、データの送受信処理等を行い、且つ比較的簡単な構成により省電力化を可能とした二重化データ送受信処理装置に関する。
【背景技術】
【０００２】
データの送受信処理等を行う複数のデータ処理装置を、二重化構成の伝送路によってリング状に接続したデータ伝送システムは、既に各種の構成が提案され、且つ実用化されている。このようなデータ伝送システムに於いて、例えば、送信側のデータ処理装置から右回り方向と左回り方向とに同一のデータを送信し、受信側のデータ処理装置は、右回り方向と左回り方向とからのそれぞれの受信データについて誤りチェック等により、正常なデータを選択受信し、信頼性を向上したデータ伝送システムが知られている。しかし、右回り方向と左回り方向との両方向に同一のデータを伝送するものであるから、各データ処理装置は、右回り方向と左回り方向との両方向の送受信機能部を常時動作状態とすることになり、消費電力が大きくなる問題があった。これに対して、右回り方向と左回り方向との何れか一方を運用系とし、他方を待機系として、各データ処理装置の運用系側に動作電力を供給してデータ送受信動作を行わせ、待機系側は動作電力供給を停止することにより、省電力化を図り、運用系側の障害発生時は、待機系側に動作電力を供給して、待機系側を運用状態とし、データ伝送を継続することにより、信頼性の維持を図るデータ伝送システムも知られている。
【０００３】
又前述の二重化構成の伝送路により複数のデータ処理装置を、リング状に接続したデータ伝送システムに於いて、複数のデータ処理装置の中の１台を主データ処理装置とし、他のデータ処理装置を従データ処理装置とて、主データ処理装置からのクロックを、運用系の伝送路を介して順次従データ処理装置に伝送し、各従データ処理装置は、運用系クロックとして従属同期化処理したクロックにより、データの送受信処理を実行し、運用系障害発生時には、従データ処理装置に於いて、運用系の伝送路ではなく、待機系の伝送路を介して伝送される待機系クロックに同期化させたクロックを発生させるように切替制御し、そのクロックにより、待機系伝送路を介したデータの送受信処理を行う構成とし、運用系と待機系との切替えによりデータ伝送の継続を可能とし、且つ運用系クロックから待機系クロックへの切替えに於ける過渡期の擾乱発生を、運用系クロックに弱結合した引込発振器を用いて回避する手段が知られている（例えば、特許文献１参照）。
【先行技術文献】
【特許文献】
【０００４】
【特許文献１】特開平０３−２０５９３５号公報
【発明の概要】
【発明が解決しようとする課題】
【０００５】
運用系と待機系との二重化構成の伝送路により複数のデータ処理装置がリング状に接続された従来例のデータ伝送システムに於いて、待機系と運用系との送受信機能部がそれぞれ別個のパッケージ等により構成され、動作電力供給用のスイッチを介してそれぞれ動作電力を供給する構成の場合、その動作電力供給用のスイッチのオン、オフ制御により、運用系の送受信機能部に動作電力を供給している間は、待機系の送受信機能部には動作電力の供給を停止して省電力化を図ることが可能である。しかし、動作電力供給によって各部が直ちに正常動作を開始するには、動作電圧の立上り時間が短い程、安定切替動作を実現することができるが、そのためには、動作電力供給能力を非常に大きくしなければならず、コストアップや配置スペース確保の問題がある。又高密度実装化技術の進歩により、待機系と運用系との送受信機能部等を、高密度実装可能の、例えば、ＦＰＧＡ（Ｆｉｅｌｄ  Ｐｒｏｇｒａｍｍａｂｌｅ  Ｇａｔｅ  Ａｒｒａｙ）によって構成することが可能である。その場合、待機系と運用系との送受信機能部に対して、それぞれの動作電力を選択的に供給、停止を可能とする電源スイッチ構成をＦＰＧＡに組み込むことは不可能に近いものである。即ち、内部に電源スイッチ構成を設けて、動作電力供給を選択的に行う省電力化構成を実現することは困難であった。
【０００６】
本発明は、前述の従来例の問題点を解決するもので、ＦＰＧＡ等による高密度実装構成に於いても、省電力化構成を実現可能とするものである。
【課題を解決するための手段】
【０００７】
本発明の二重化データ送受信処理装置は、０系クロックゲーティング部と１系クロックゲーティング部と、前記０系クロックゲーティング部と１系クロックゲーティング部を制御する調停部と、前記０系クロックゲーティング部からのクロックによりデータ処理を行う０系端末対応部と、前記１系クロックゲーティング部からのクロックによりデータ処理を行う１系端末対応部とを有し、前記０系端末対応部は送信データにバックアラーム表示信号を含む各種制御情報を付加するタイムスロットを生成する付加タイムスロット生成部と、受信データを終端処理するとともに、前記受信データにバックアラーム表示信号が付加されていた場合に、前記バックアラーム表示信号を前記調停部へ転送する付加タイムスロット終端部とを有し、前記１系端末対応部は送信データにバックアラーム表示信号を含む各種制御情報を付加するタイムスロットを生成する付加タイムスロット生成部と、受信データを終端処理するとともに、前記受信データにバックアラーム表示信号が付加されていた場合に、前記バックアラーム表示信号を前記調停部へ転送する付加タイムスロット終端部とを有し、前記調停部は、前記バックアラーム表示信号の有無を監視して、前記バックアラーム表示信号を検知した場合に、同系の前記クロックゲーティング部を介して前記バックアラーム表示信号を送信した側の端末対応装置へのクロックを停止するとともに、前記バックアラーム表示信号を送信しない側の端末対応装置に同系の前記クロックゲーティング部を介してクロックを供給することを特徴とする。
【発明の効果】
【００１１】
クロックゲーティング部は、例えば、ＦＰＧＡにより他の回路構成と共に構成することも可能であり、且つ各部の構成は、クロック供給により動作し、それにより動作電力を消費するものであるから、動作不要の回路部分には、クロックゲーティング部によりクロック供給を停止制御することによって省電力化を図ることができる利点がある。
【図面の簡単な説明】
【００１２】
【図１】本発明の実施例１の要部説明図である。
【図２】本発明の実施例１の要部フローチャートである。
【発明を実施するための形態】
【００１３】
本発明の二重化データ送受信処理装置は、クロックに従ってデータ処理を実行する装置であって、図１を参照して説明すると、クロックの供給停止を制御するクロックゲーティング部を備え、このクロックゲーティング部は、０系と１系とのデータ処理部対応のクロックの供給停止を制御する構成を備え、前記０系と１系とのデータ処理部対応に正常性を監視して、異常発生側のクロックゲーティング部を介したクロック供給を停止し、正常側のクロックゲーティング部を介してクロック供給を行わせる制御部を備えている。
【実施例１】
【００１４】
図１は、本発明の実施例１の要部説明図であり、１０，１１は０系、１系のデータ処理部に相当する端末対応部、２０，２１は０系、１系のクロックゲーティング部、３０は調停部、４０は受信系選択部、５０は端末回路を示すもので、端末対応部１０，１１とクロックゲーティング部２０，２１と調停部３０と受信系選択部４０とを含むと共に、一部図示を省略した他の機能部を含めたラインインタフェースユニット（ＬＩＵ；Ｌｉｎｅ  Ｉｎｔｅｒｆａｃｅ  Ｕｎｉｔ）を示す。又１，５は付加ＴＳ生成部、２，６は上り速度変換部、３，７は付加ＴＳ終端部、４，８は下り速度変換部を示し、０系と１系との何れか一方がデータ伝送処理を行う現用系、他方が待機系となる。又付加ＴＳ生成部１，５は、端末対応部１０，１１からの送信データに各種制御情報等を付加する為のタイムスロットを生成する機能を有し、又付加ＴＳ終端部３，７は、受信データに付加されているタイムスロットの終端処理を行い、そのタイムスロットに、ＢＡＩＳ（Ｂａｃｋ  Ａｌａｒｍ  Ｉｎｄｉｃａｔｉｏｎ  Ｓｉｇｎａｌ）情報が付加されている場合、調停部３０へ転送する。この調停部３０は、ＢＡＩＳ情報に従ってクロックゲーティング部２０，２１と受信系選択部４０とを制御する機能を備えており、０系と１系との状態を監視して、クロック供給の選択制御を行うものである。
【００１５】
端末回路５０からのデータと端末クロックとは、０系、１系の端末対応部１０，１１の上り速度変換部２，６にそれぞれ転送される。又調停部３０は、例えば、初期設定時に、０系を現用系とし、１系を待機系とした場合、クロックゲーティング部２０を介して０系装置クロックを、０系の端末対応部１０の付加ＴＳ生成部１、上り速度変換部２、付加ＴＳ終端部３、下り速度変換部４に供給し、クロックゲーティング部２１を閉じて、１系の端末対応部１１に対する１系装置クロックの供給を停止する。それにより、１系の端末対応部１１は、処理動作停止状態となるから、省電力状態に移行する。その場合、受信系選択部４０を制御して、０系の端末対応部１０側を選択させ、端末回路５０と０系の端末対応部１０との間のデータ転送を可能とする。従って、０系端末対応部１０を現用系として端末回路５０はデータ伝送処理を行わせ、１系端末対応部１１は、クロックゲーティング部２１を介してクロックが供給されていない休止状態であるから、動作電力は消費されない省電力状態となる。
【００１６】
前述のように、０系を現用系としてデータ伝送を実行中に、０系の伝送経路に障害が発生すると、障害発生を通知する為に、付加タイムスロットＴＳにＢＡＩＳ情報を付加して伝送する。これを受信した０系の端末対応部１０は、付加ＴＳ終端部３によりＢＡＩＳ情報を抽出して、調停部３０へ転送する。調停部３０は、０系と１系との何れが現用系であるかを認識しており、現用系の付加ＴＳ終端部３を介してＢＡＩＳ情報が転送されたことにより、０系の伝送系統の障害発生として、クロックゲーティング部２０からの０系端末対応部１０に対する０系装置クロックの供給を停止させ、又クロックゲーティング部２１から１系端末対応部１１に対する１系装置クロックの供給を開始させて、現用，待機の系切替えを行い、障害発生の伝送径路側の０系端末対応部１０を、クロック供給停止により省電力状態に移行させ、正常な伝送経路側の１系端末対応部１１を動作状態に移行させ、且つ調停部３０により受信系選択部４０を制御して、１系端末対応部１１による受信データを端末回路５０に転送する処理を行わせ、障害発生による現用系と待機系との切替処理によってデータ伝送を継続可能とする。
【００１７】
図２は、本発明の実施例１の要部フローチャートを示し、０系１系の伝送経路の０系選択（ａ１）の正常状態から、Ａ局に於いて０系異状検出（ａ２）の場合、ＢＡＩＳ送出を行うから、Ｂ局は０系によるＢＡＩＳ検出を行う（ａ３）。それにより、Ｂ局も０系障害発生を認識し、１系選択とする（ａ４）。０系と１系との伝送路により接続されたＡ局とＢ局とは、前述の０系選択（ａ１）の正常時に於いて、１系ゲーティング（Ａ１）,（Ｂ１）により、図１に示す０系端末対応部１０に対して、クロックゲーティング部２０を介してクロックを供給して動作状態とし、１系端末対応部１１に対して、クロックゲーティング部２１によってクロック供給を停止状態とすることにより、１系端末対応部１１は省電力状態に移行している。
【００１８】
又Ａ局の現用系としての０系の異状検出（ａ２）の場合、Ａ局は、１系ゲーティング解除、０系ＢＡＩＳ転送（Ａ２）として示すように、Ａ局の１系端末対応部１１に対するクロックゲーティング部２１によるクロックゲーティングを解除し、且つ０系ＢＡＩＳ転送を行う（Ａ２）。Ａ局と伝送路を介して接続されているＢ局に於いては、Ａ局からの０系ＢＡＩＳ受信により、１系端末対応部１１に対するクロックゲーティング部２１によるクロックゲーティングを解除する（Ｂ２）。それによって、Ａ局もＢ局も１系正常受信（Ａ３），（Ｂ３）の状態となると、１系に対して受信系切替えを行うと共に、０系ゲーティングの状態に移行する（Ａ４）,（Ｂ４）。即ち、Ａ局とＢ局とに於けるクロックゲーティング部２０は０系端末対応部１０に対するクロック供給を停止し、クロックゲーティング部２１は、１系端末対応部１１に対するクロック供給を継続する。従って、動作電力の供給制御を行うスイッチを構成することが困難なＦＰＧＡ等により構成された場合でも、クロックゲーティング処理機能を実現する構成は、比較的容易に実現可能であるから、現用系と待機系とを含むデータ伝送処理構成に於いて、クロック供給停止の制御構成は容易に組み込むことが可能であるから、システムの一方のクロック供給端末対応部は動作電力を消費するが、他方のクロック供給を停止した端末対応部は動作電力を消費しない省電力状態を継続する構成として、クロック制御による処理動作部分のみ電力を使用し、他の処理動作を休止している部分を省電力化することができる。
【符号の説明】
【００２１】
１，５  付加ＴＳ生成部
２，６  上り速度変換部
３，７  付加ＴＳ終端部
４，８  下り速度変換部
１０，１１  ０系、１系の端末対応部
２０，２１  クロックゲーティング部
３０  調停部
４０  受信系選択部
５０  端末回路
【図１】
0005726695.tif 000002
【図２】
0005726695.tif 000003